(57)【要約】【課題】収納物を複数の分類に分けて管理可能な収納物管理装置および収納物管理装置用収納ポケットを提供する。【解決手段】収納物管理装置本体と、収納物管理装置本体に引き出し可能に設けられた収納庫とを有し、収納庫に、個別に開閉可能な蓋体２１３をそれぞれ有する複数の収納ポケット２０２が取り付けられており、複数の収納ポケット２０２のそれぞれに、蓋体２１３をロック及びロック解除可能な蓋ロック部２３８が設けられている。【選択図】図９
2017199132.tif 000002
【特許請求の範囲】
【請求項１】
収納物管理装置本体と、
前記収納物管理装置本体に引き出し可能に設けられた収納庫とを有し、
前記収納庫に、個別に開閉可能な蓋体をそれぞれ有する複数の収納ポケットが取り付けられており、
前記複数の収納ポケットのそれぞれに、前記蓋体をロック及びロック解除可能な蓋ロック部が設けられていることを特徴とする収納物管理装置。
【請求項２】
前記複数の収納ポケットのそれぞれは、前記収納庫に対して着脱可能であることを特徴とする請求項１に記載の収納物管理装置。
【請求項３】
前記収納庫は、同じ大きさの複数の収納ポケットを取り付け可能であり、異なる大きさの複数の収納ポケットを取り付け可能であることを特徴とする請求項１または２に記載の収納物管理装置。
【請求項４】
前記複数の収納ポケットのそれぞれに、収納物の収納状況を報知する収納状況報知手段が設けられていることを特徴とする請求項１乃至３のいずれか一項に記載の収納物管理装置。
【請求項５】
前記複数の収納ポケットのそれぞれに、収納物の収納状況を検知する収納状況検知手段が設けられていることを特徴とする請求項１乃至４のいずれか一項に記載の収納物管理装置。
【請求項６】
前記蓋体は、該蓋体で閉塞した前記収納ポケット内の収納物が目視可能であることを特徴とする請求項１乃至５のいずれか一項に記載の収納物管理装置。
【請求項７】
前記収納庫が複数設けられており、そのうちの少なくとも一つに、小束紙幣及び棒金のうちの少なくともいずれか一方を収納する貨幣収納部が設けられていることを特徴とする請求項１乃至６のいずれか一項に記載の収納物管理装置。
【請求項８】
収納物管理装置本体に引き出し可能に設けられた収納庫に設けられる収納物管理装置用収納ポケットであって、
収納空間を形成するポケット本体と、
前記収納空間を開閉可能な蓋体と、
前記蓋体をロック及びロック解除可能な蓋ロック部と、を有することを特徴とする収納物管理装置用収納ポケット。
【請求項９】
前記ポケット本体には、少なくとも収納ポケットの識別情報が所定の読取手段により読み取り可能に付されていることを特徴とする請求項８に記載の収納物管理装置用収納ポケット。
【発明の詳細な説明】
【技術分野】
【０００１】
本発明は、収納物管理装置および収納物管理装置用収納ポケットに関する。
【背景技術】
【０００２】
棒金硬貨および束紙幣を収納し管理する現金管理装置がある（例えば、特許文献１参照）。この現金管理装置は、現金管理装置本体に対して引き出し可能な複数段の収納庫を有している。複数段の収納庫のうち、最上段は予備収納庫となっており、結束されていないバラ紙幣、包装されていないバラ硬貨、汚損紙幣や汚損硬貨、新券、小切手等を収納することができる。残りの収納庫は、小束紙幣を収納する紙幣収納庫と、棒金硬貨を収納する硬貨収納庫になっている。
【先行技術文献】
【特許文献】
【０００３】
【特許文献１】特開２０１５−１９１４８６号公報
【発明の概要】
【発明が解決しようとする課題】
【０００４】
上記のような予備収納庫には、バラ紙幣、バラ硬貨、汚損紙幣や汚損硬貨、新券、小切手等を収納可能であるが、このような収納物を種類別や担当者別等、任意の分類に分けて厳密に管理可能な装置の実現が望まれている。
【０００５】
本発明は、上記の点に鑑みなされたもので、収納物を複数の分類に分けて厳密に管理可能な収納物管理装置および収納物管理装置用収納ポケットの提供を目的とする。
【課題を解決するための手段】
【０００６】
上記目的を達成するために、本発明に係る第１の態様は、収納物管理装置本体と、前記収納物管理装置本体に引き出し可能に設けられた収納庫とを有し、前記収納庫に、個別に開閉可能な蓋体をそれぞれ有する複数の収納ポケットが取り付けられており、前記複数の収納ポケットのそれぞれに、前記蓋体をロック及びロック解除可能な蓋ロック部が設けられていることを特徴とする。
【０００７】
上記第１の態様によれば、収納物管理装置本体に引き出し可能に設けられた収納庫に、個別に開閉可能な蓋体をそれぞれ有する複数の収納ポケットが取り付けられているため、複数の収納ポケットに収納物を複数の分類に分けて収納することができる。また、複数の収納ポケットのそれぞれの蓋体をそれぞれの蓋ロック部でロックすることになるため、複数の収納ポケットのそれぞれの蓋体が不用意に開かれてしまうことを抑制することができる。
【０００８】
本発明に係る第２の態様は、上記第１の態様において、前記複数の収納ポケットのそれぞれは、前記収納庫に対して着脱可能であることを特徴とする。
【０００９】
本発明に係る第２の態様によれば、複数の収納ポケットのそれぞれが、収納庫に対して着脱可能になるため、収納ポケットの組み合わせや配置等の変更が可能になり、利便性が向上する。
【００１０】
本発明に係る第３の態様は、上記第１または第２の態様において、前記収納庫は、同じ大きさの複数の収納ポケットを取り付け可能であり、異なる大きさの複数の収納ポケットを取り付け可能であることを特徴とする。
【００１１】
上記第３の態様によれば、収納庫に、同じ大きさの複数の収納ポケットを取り付けたり、異なる大きさの複数の収納ポケットを取り付けたりできるため、同様の大きさの収納物を複数の分類に分けて収納したり、異なる大きさの収納物を複数の分類に分けて収納したりすることができる。
【００１２】
本発明に係る第４の態様は、上記第１乃至第３のいずれか一態様において、前記複数の収納ポケットのそれぞれに、収納物の収納状況を報知する収納状況報知手段が設けられていることを特徴とする。
【００１３】
上記第４の態様によれば、例えば、複数の収納ポケットのそれぞれに設けられた収納状況報知ランプの報知状態を見れば、収納物が収納されている使用状態の収納ポケットと、収納物が収納されていない空き状態の収納ポケットとを容易に見分けることができる。
【００１４】
本発明に係る第５の態様は、上記第１乃至第４のいずれか一態様において、前記複数の収納ポケットのそれぞれに、収納物の収納状況を検知する収納状況検知手段が設けられていることを特徴とする。
【００１５】
上記第５の態様によれば、例えば、複数の収納ポケットのそれぞれに設けられた収納状況検知センサが、収納物の収納状況を検知するため、収納物が収納されている使用状態の収納ポケットと、収納物が収納されていない空き状態の収納ポケットとを検出することができる。よって、収納ポケットに対する収納物の取り忘れおよび入れ忘れを検知することができる。
【００１６】
本発明に係る第６の態様は、上記第１乃至第５のいずれか一態様において、前記蓋体は、該蓋体で閉塞した前記収納ポケット内の収納物が目視可能であることを特徴とする。
【００１７】
上記第６の態様によれば、蓋体で閉塞した収納ポケット内の収納物が目視可能であるため、収納物が収納されている使用状態の収納ポケットと、収納物が収納されていない空き状態の収納ポケットとを容易に見分けることができる。
【００１８】
本発明に係る第７の態様は、上記第１乃至第６のいずれか一態様において、前記収納庫が複数設けられており、そのうちの少なくとも一つに、小束紙幣及び棒金のうちの少なくともいずれか一方を収納する貨幣収納部が設けられていることを特徴とする。
【００１９】
上記第７の態様によれば、複数の収納庫の少なくとも一つに設けられた貨幣収納部に、小束紙幣及び棒金のうちの少なくともいずれか一方を収納することができるため、複数の収納ポケットに、バラ紙幣、バラ硬貨、汚損紙幣、汚損硬貨、新券および小切手のうちの複数種類のものを複数の分類に分けて収納するようにすれば、現金を詳細に分類して管理できる現金管理装置となる。
【００２０】
本発明に係る第８の態様は、収納物管理装置本体に引き出し可能に設けられた収納庫に設けられる収納物管理装置用収納ポケットであって、収納空間を形成するポケット本体と、前記収納空間を開閉可能な蓋体と、前記蓋体をロック及びロック解除可能な蓋ロック部と、を有することを特徴とする。
【００２１】
上記第８の態様によれば、例えば、収納物管理装置本体に引き出し可能に設けられた収納庫に、複数取り付けられることで、収納物を複数の分類に分けて収納することができる。また、蓋体を蓋ロック部でロックすることになるため、蓋体が不用意に開かれてしまうことを抑制することができる。
【００２２】
本発明に係る第９の態様は、上記第８の態様において、前記ポケット本体には、少なくとも収納ポケットの識別情報が所定の読取手段により読み取り可能に付されていることを特徴とする。
【００２３】
上記第９の態様によれば、例えば、取り外した収納ポケットを他の収納庫へ取り付けたり、別保管したりする場合に、所定の読取手段でこの識別情報を読み取ることで、取付先や保管先でも容易に収納ポケットを特定することができる。
【発明の効果】
【００２４】
本発明によれば、収納物を複数の分類に分けて厳密に管理可能な収納物管理装置および収納物管理装置用収納ポケットを提供することができる。
【図面の簡単な説明】
【００２５】
【図１】本発明の第１実施形態に係る収納物管理装置を示す斜視図である。
【図２】本発明の第１実施形態に係る収納物管理装置および重要物管理金庫のブロック図である。
【図３】本発明の第１実施形態に係る収納物管理装置の個別管理収納庫の一例を示す斜視図である。
【図４】本発明の第１実施形態に係る収納物管理装置の個別管理収納庫の一例を示す平面図である。
【図５】本発明の第１実施形態に係る収納物管理装置の個別管理収納庫の別の例を示す平面図である。
【図６】本発明の第１実施形態に係る収納物管理装置の個別管理収納庫のさらに別の例を示す平面図である。
【図７】本発明の第１実施形態に係る収納物管理装置の個別管理収納庫のさらに別の例を示す平面図である。
【図８】本発明の第１実施形態に係る収納物管理装置の個別管理収納庫のさらに別の例を示す平面図である。
【図９】本発明の第１実施形態に係る収納物管理装置の収納ポケットを示す断面図である。
【図１０】本発明の第１実施形態に係る収納物管理装置の収納ポケットを示す平面図である。
【図１１】本発明の第１実施形態に係る収納物管理装置の収納ポケットを示す図９のＸ−Ｘ断面図であって、（ａ）は蓋体の閉鎖状態を、（ｂ）は蓋体の開放状態を、それぞれ示すものである。
【図１２】本発明の第１実施形態に係る収納物管理装置の束紙幣収納庫を示す斜視図である。
【図１３】本発明の第１実施形態に係る収納物管理装置の棒金収納庫を示す斜視図である。
【図１４】本発明の第１実施形態に係る収納物管理装置を収納する重要物管理金庫を示す正面図である。
【図１５】本発明の第１実施形態に係る収納物管理装置を重要物管理金庫に挿入した状態を示す正面図である。
【図１６】本発明の第２実施形態に係る収納物管理装置の収納ポケットを示す断面図である。
【図１７】本発明の第２実施形態に係る収納物管理装置の収納ポケットを示す平面図である。
【図１８】本発明の第２実施形態に係る収納物管理装置の収納ポケットの蓋体の開放状態を示す正断面図である。
【図１９】本発明の第３実施形態に係る収納物管理装置の収納ポケットを示す断面図である。
【発明を実施するための形態】
【００２６】
［第１実施形態］
本発明の第１実施形態に係る収納物管理装置を図１〜図１５を参照して以下に説明する。図１に示す第１実施形態に係る収納物管理装置１は、現金等を管理する現金管理装置を一部改良したものであり、銀行等の金融機関の店舗で使用されるものである。収納物管理装置１は、店舗内フロアを走行移動可能となっているが、所定の位置に設置して使用されるものであってもよい。
【００２７】
収納物管理装置１は、箱型の収納物管理装置本体１１と、この収納物管理装置本体１１に上下方向に複数段具体的には５段設けられた収納庫１２とを有している。これら収納庫１２は、その左右側壁に設けられた図示略のスライドレールを介して収納物管理装置本体１１に対して水平前後方向にスライド開閉可能つまり引き出しおよび押し込み可能となっている。これら収納庫１２は、収納物管理装置本体１１から引き出されて開放状態となり、収納物管理装置本体１１に押し込まれて閉鎖状態となる。すべての収納庫１２が、このように前後方向にのみ所定範囲で移動可能となるように収納物管理装置本体１１に連結されている。これら収納庫１２は、開放状態で現金等が出し入れ可能となる一方、閉鎖状態では現金等の出し入れが不可となる。収納物管理装置１において収納庫１２の引き出し方向の手前側の面が使用者側の装置前面となっている。
【００２８】
複数段の収納庫１２のうち、最も上側のものは、個別管理収納庫１２（ａ）となっており、上から２段目のものも、個別管理収納庫１２（ｂ）となっている。これら個別管理収納庫１２（ａ），１２（ｂ）は、結束されていないバラ紙幣、包装されていないバラ硬貨、汚損紙幣、汚損硬貨、新券紙幣、小切手、通帳、領収書、出納印、鍵、オペレータカード、印鑑簿、等を収納物として個別に管理して収納することができる。
【００２９】
また、上から３段目および４段目が小束紙幣や大束紙幣を収納する束紙幣収納庫１２（ｃ）となっており、最下段が棒金を収納する棒金収納庫１２（ｄ）となっている。勿論、収納庫１２の全体の数や、そのうちの個別管理収納庫１２（ａ），１２（ｂ）、束紙幣収納庫１２（ｃ）および棒金収納庫１２（ｄ）の個々の数、レイアウト等は任意に設定可能である。例えば、すべての収納庫１２を個別管理収納庫としたり、個別管理収納庫１２（ａ），１２（ｂ）のいずれか一段のみを設けたり、個別管理収納庫１２（ａ），１２（ｂ）以外の全てを束紙幣収納庫１２（ｃ）としたり、個別管理収納庫１２（ａ），１２（ｂ）以外の全てを棒金収納庫１２（ｄ）としたりすることも勿論可能である。
【００３０】
収納物管理装置本体１１の上部の装置後面側には、収納物管理装置１を移動させる際に使用者により把持されるハンドルバー１５が左右方向に延在して取り付けられている。収納物管理装置本体１１の上部には、ハンドルバー１５よりも装置前面側に、揺動可能なタッチパネル式の管理装置操作表示部１６が設けられており、管理装置操作表示部１６よりも装置前面側に、管理装置カードリーダ１７と、テンキーを含む着脱式の管理装置キー操作部１８とが設けられている。管理装置操作表示部１６は、使用者により操作入力が行われると共に使用者に表示を行うものであり、管理装置キー操作部１８は、使用者により操作入力が行われるものである。管理装置カードリーダ１７は使用者により通された磁気カードやＩＣカード等のオペレータカードから記憶データを読み取るものであり、言い換えれば、オペレータカードからその記憶データが入力されるものである。
【００３１】
収納物管理装置本体１１の下部には、フロア上で転動するローラ３７を有するキャスタ３８が四隅位置に設けられている。すべてのキャスタ３８は、ローラ３７が鉛直軸を中心に水平旋回自在となっており、ローラ３７が水平軸を中心に回転可能となっている。
【００３２】
収納物管理装置本体１１には、全ての収納庫１２のそれぞれに対して、収納庫１２を閉鎖状態で個別にロックする図２に示す収納庫ロック機構２２が設けられている。収納庫ロック機構２２は、それぞれ、給電されるとロックを解除して対応する収納庫１２を引き出し可能とし開作動を許容する状態となる。また、収納庫ロック機構２２は、それぞれ、対応する収納庫１２の引き出し後に給電が停止されることになり、その後は、対応する収納庫１２が全閉位置に戻されると収納庫１２を引き出し不可に自動的かつ機械的にロックする。図１に示すように、収納物管理装置本体１１には、複数の収納庫１２のそれぞれの側方に、各収納庫１２の状態を点灯状態によって示す誘導ランプ２３が設けられている。誘導ランプ２３は、対応する収納庫１２の選択操作が入力されると点灯して、この収納庫１２の引き出し操作を誘導する。
【００３３】
収納物管理装置本体１１には、管理装置操作表示部１６、管理装置カードリーダ１７、管理装置キー操作部１８、誘導ランプ２３および図２に示す収納庫ロック機構２２に接続されてこれらを制御する管理装置制御部２５と、処理関連のデータ等を記憶する管理装置記憶部２６と、が設けられている。管理装置制御部２５は、複数の収納庫ロック機構２２のロックを個別に解除可能となっている。
【００３４】
各収納庫１２と収納物管理装置本体１１との間には、収納物管理装置本体１１に対する各収納庫１２の引き出し位置を検出する引出位置検出機構３５が設けられている。引出位置検出機構３５は、各収納庫１２が収納物管理装置本体１１に最も押し込まれた全閉位置にあること、および、収納庫１２が収納物管理装置本体１１から最も引き出された全開位置にあることを含んで各収納庫１２の引き出し位置を検出する。
【００３５】
各収納庫１２は、例えば図３に示す個別管理収納庫１２（ｂ）のように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、個別管理収納庫１２（ｂ）と、図１に示す束紙幣収納庫１２（ｃ）および棒金収納庫１２（ｄ）とで共通となっており、個別管理収納庫１２（ａ）の枠体３４は、これらに対して左右方向の幅が狭くなっている。枠体３４は、図３に示す一対の側板部３２が図示略のスライドレールの一側に連結されており、スライドレールの他側が図１に示す収納物管理装置本体１１に連結されていて、これにより収納物管理装置本体１１に対して引き出し可能となっている。
【００３６】
図３に示すように、個別管理収納庫１２（ｂ）は、枠体３４に固定された上方開口の矩形箱状の取付ベース２０１と、取付ベース２０１に取り付けられる複数の直方体形状の収納ポケット２０２（収納物管理装置用収納ポケット）とを有している。例えば、収納ポケット２０２には、図３および図４に示すように、最も小さい第１収納ポケット２０２（ａ）と、第１収納ポケット２０２（ａ）の二倍の幅で同じ奥行の第２収納ポケット２０２（ｂ）と、第１収納ポケット２０２（ａ）の二倍の幅および二倍の奥行の第３収納ポケット２０２（ｃ）と、図５に示すように、第１収納ポケット２０２（ａ）の三倍の幅で同じ奥行の第４収納ポケット２０２（ｄ）と、第１収納ポケット２０２（ａ）の三倍の幅および三倍の奥行の第５収納ポケット２０２（ｅ）とがある。複数の収納ポケット２０２には、それぞれ個別に他との識別のための収納ポケット識別情報が設定されて管理装置記憶部２６に記憶されている。
【００３７】
取付ベース２０１には、その内側に隙間なく収まる組み合わせとなるように、これら第１収納ポケット２０２（ａ）〜第５収納ポケット２０２（ｅ）のうちの複数のものが適宜選択されて取り付け可能となっている。ここで、図示は略すが、取付ベース２０１には、側壁２０３および底部に所定の等間隔で貫通穴が形成されており、第１収納ポケット２０２（ａ）〜第５収納ポケット２０２（ｅ）には、取付ベースの内側に隙間なく収まる組み合わせで配置された際に、これら貫通穴の適宜のものに挿通されたビスを螺合させるネジ穴が形成されている。また、第１収納ポケット２０２（ａ）〜第５収納ポケット２０２（ｅ）には、収納物管理装置本体１１の管理装置制御部２５に通信可能となるようにケーブルが接続される図示略のケーブルコネクタがそれぞれの底面に設けられている。
【００３８】
取付ベース２０１は、例えば、図３〜図５に示すように、異なる大きさの複数の収納ポケット２０２を取り付け可能となっており、また、図６に示すように、同じ大きさの複数の収納ポケット２０２を取り付け可能となっている。なお、収納ポケット２０２の大きさは、第１収納ポケット２０２（ａ）〜第５収納ポケット２０２（ｅ）に限定されるものではなく、任意に選択可能である。
【００３９】
具体的に、図３および図４の図示例では、取付ベース２０１に、左側に前後方向に一列状に並んで四つの第１収納ポケット２０２（ａ）が取り付けられており、これらの右側の最も前側および前から二番目に第２収納ポケット２０２（ｂ）が取り付けられていて、残りの部分に第３収納ポケット２０２（ｃ）が取り付けられている。図５の図示例では、取付ベース２０１に、前側に第４収納ポケット２０２（ｄ）が取り付けられており、その後側に第５収納ポケット２０２（ｅ）が取り付けられている。図６の図示例では、取付ベース２０１に、前後方向に一列状に並んで四つの第４収納ポケット２０２（ｄ）が取り付けられている。
【００４０】
また、個別管理収納庫１２（ｂ）よりも幅が狭い個別管理収納庫１２（ａ）では、図７に示すように、取付ベース２０１に、前後方向に一列状に並んで四つの第２収納ポケット２０２（ｂ）を取り付けたり、図８に示すように、前側に左右に並んで二つの第１収納ポケット２０２（ａ）を、その後側に第２収納ポケット２０２（ｂ）を、その後側に第３収納ポケット２０２（ｃ）を、それぞれ取り付けたりすることができる。
【００４１】
次に、図９〜図１１を用いて、収納ポケット２０２の構成を説明する。第１収納ポケット２０２（ａ）〜第５収納ポケット２０２（ｅ）は、大きさが異なっているが、それ以外は共通の構成となっている。図９に示すように、収納ポケット２０２は、上方開口の矩形箱状で内側が収納空間２１０となるポケット本体２１１と、ポケット本体２１１の上部の後端側に水平に設けられた支持軸２１２に回動可能に支持される矩形板状の蓋体２１３とを有している。
【００４２】
蓋体２１３は、水平に配置されて収納ポケット２０２を閉じる閉鎖状態となり、支持軸２１２を中心に上方に回動させられて収納ポケット２０２を開く開放状態となる。つまり、収納ポケット２０２は、開閉可能な専用の蓋体２１３を有している。蓋体２１３はアクリル板等の透明、又は薄い色合いの半透明であり、この蓋体２１３で閉塞した収納ポケット２０２の内部つまり収納ポケット２０２内の収納物を目視可能な板材からなっている。または、蓋体２１３を蛇腹状等の伸縮可能な部材で形成したり、蓋体２１３を湾曲可能な部材で形成してスライドさせることによってポケット本体２１１の後方へ挿入可能にしたりすることで、収納ポケット２０２を開閉させるようにしてもよい。
【００４３】
蓋体２１３には、閉鎖状態での上面に、上方に突出する取っ手２１５が支持軸２１２とは反対側に寄って左右方向の中央に設けられている。また、蓋体２１３の支持軸２１２とは反対側の端縁部には、支持軸２１２側に凹む係合凹部２１６と、係合凹部２１６の下側の面取り２１７とが形成されている。
【００４４】
ポケット本体２１１には、支持軸２１２とは反対側に、閉鎖状態の蓋体２１３が載置される載置段部２２１が設けられており、この載置段部２２１に、蓋体２１３が開放状態にあるか閉鎖状態にあるかを検知する蓋開閉検知センサ２２２が設けられている。さらに、任意選択であるが、ポケット本体２１１には、収納ポケット２０２の内部の収納物の収納状況を検知する収納状況検知センサ２２３が設けられる。この収納状況検知センサ２２３は、収納空間２１０に収納された収納物の重量を検出して収納空間２１０内の収納物の収納の有無を検知する重量センサである。重量センサ以外に、透過型または反射型の光学センサを用いることも可能であり、ポケット本体２１１の収納空間２１０に収納された収納物により遮光（反射）されることで収納物の収納ありを検知し、遮光（反射）されない状態では収納物の収納なしを検知する。
【００４５】
また、ポケット本体２１１には、載置段部２２１よりも前側に、前後移動可能に設けられたロック部材２３１と、ロック部材２３１を支持軸２１２の方向に押圧するロック部材押圧バネ２３２と、上下移動可能でポケット本体２１１から上部の解除ボタン２３９が上方に突出するロック解除ノブ２３３（ロック解除操作部）と、ロック解除ノブ２３３を上方に押圧するノブ押圧バネ２３４と、プランジャ２４０を進退させることでロック解除ノブ２３３の下降を規制および規制解除可能なノブ操作規制ソレノイド２３５とが設けられている。
【００４６】
蓋体２１３が、図１１（ｂ）に示す開放状態から図１１（ａ）に示す閉鎖状態になるとき、図９に示すロック部材２３１が、蓋体２１３の面取り２１７で押圧されてロック部材押圧バネ２３２の付勢力に抗して支持軸２１２とは反対側に移動した後、ロック部材押圧バネ２３２の付勢力で係合凹部２１６に係合して、蓋体２１３を閉鎖状態に維持する。この状態で、ノブ操作規制ソレノイド２３５がプランジャ２４０を突出させる「施錠側」にあってロック解除ノブ２３３の下降を規制すると、蓋体２１３は開放不可にロックされる。
【００４７】
また、蓋体２１３が閉鎖状態にあるとき、ノブ操作規制ソレノイド２３５がプランジャ２４０を引き込んでロック解除ノブ２３３の下降を許容する「解除側」となると、上部の解除ボタン２３９が押下されてロック解除ノブ２３３が下降することにより、ロック部材２３１は、ロック解除ノブ２３３のカム面２３６でカムフォロア２３７が押圧されてロック部材押圧バネ２３２の付勢力に抗して支持軸２１２とは反対側に移動し、係合凹部２１６から引き抜かれる。この状態で、取っ手２１５を摘んで蓋体２１３を上方に引き上げると、蓋体２１３が支持軸２１２を中心に回動して、ポケット本体２１１の収納空間２１０を開放する開放状態つまり収納ポケット２０２を開く開放状態となる。ここで、蓋体２１３が閉鎖状態にあるとき、ノブ操作規制ソレノイド２３５がプランジャ２４０を突出させてロック解除ノブ２３３の下降を規制している状態では、ロック解除ノブ２３３の押下が不可となり、蓋体２１３が開放状態となることを規制する。ノブ操作規制ソレノイド２３５は、プランジャ２４０を突出させてロック解除ノブ２３３の下降を規制している状態が待機状態となっている。
【００４８】
蓋体２１３の係合凹部２１６および面取り２１７と、ポケット本体２１１のロック部材２３１、ロック部材押圧バネ２３２、ロック解除ノブ２３３、ノブ押圧バネ２３４およびノブ操作規制ソレノイド２３５が、蓋体２１３を閉鎖状態でロックおよびロック解除可能な蓋ロック部２３８を構成している。つまり、収納ポケット２０２は、これに設けられた蓋体２１３を閉鎖状態でロックおよびロック解除可能な専用の蓋ロック部２３８を有している。蓋ロック部２３８において、ロック解除ノブ２３３が、蓋体２１３のロックを解除する際に使用者により操作される部分であり、ノブ操作規制ソレノイド２３５が、この操作の規制および許容を電磁的に切り替えて蓋体２１３の開閉を制御する。
【００４９】
ポケット本体２１１の支持軸２１２とは反対側の前端部上面には、図１０に示すように、左右方向の中央に上記したロック解除ノブ２３３が、その左側に収納ボタン２４１が、ロック解除ノブ２３３の右側に取出ボタン２４２が、収納ボタン２４１の左に誘導ランプ２４３（収納状況報知ランプ）が、取出ボタン２４２の右側に完了ボタン２４４が、それぞれ設けられている。これらのロック解除ノブ２３３、収納ボタン２４１、取出ボタン２４２、誘導ランプ２４３および完了ボタン２４４は、これらが設けられた収納ポケット２０２の専用のものとなっている。
【００５０】
収納ボタン２４１は、これが設けられた収納ポケット２０２へ収納物を収納する収納処理を開始する際に押下操作されるものである。取出ボタン２４２は、これが設けられた収納ポケット２０２から収納物を取り出す取出処理を開始する際に押下操作されるものである。完了ボタン２４４は、これが設けられた収納ポケット２０２の収納処理および取出処理を終了する際に押下操作されるものである。
【００５１】
誘導ランプ２４３は、これが設けられた収納ポケット２０２の収納物の収納状況を、この収納ポケット２０２に設けられた収納状況検知センサ２２３の検知結果に基づいて報知する。誘導ランプ２４３は、例えば単色ＬＥＤからなっている。誘導ランプ２４３は、収納ポケット２０２が収納物を収納している使用中の場合に点灯し、収納ポケット２０２の蓋開要求があった場合に低速で点滅し、収納ポケット２０２の蓋体２１３が開けられている状態では中速で点滅し、アラーム発生時には高速で点滅し、収納ポケット２０２が収納物を収納していない未使用の場合に消灯する。勿論、これは表示の一例であり、他の表示とすることも可能である。
【００５２】
ここで、誘導ランプ２４３を多色ＬＥＤとしても良い。この場合、誘導ランプ２４３は、収納ポケット２０２が収納物を収納している使用中の場合に赤色で点灯し、収納ポケット２０２の蓋開要求があった場合に赤色で低速に点滅し、収納ポケット２０２の蓋体２１３が開けられている状態は橙色で低速に点滅し、アラーム発生時には赤色で高速に点滅し、収納ポケット２０２が収納物を収納していない未使用の場合に緑色で点灯する等の表示が可能である。
【００５３】
蓋体２１３が、閉塞した収納ポケット２０２の内部の収納空間２１０を目視確認できる材料からなっていることから、誘導ランプ２４３を、収納ポケット２０２の収納空間２１０の内部に設けても良く、収納空間２１０の内外両方に設けて連動させても良い。これらの場合において、誘導ランプ２４３として単色ＬＥＤおよび多色ＬＥＤのいずれを設けることも可能である。
【００５４】
第１収納ポケット２０２（ａ）〜第５収納ポケット２０２（ｅ）は大きさが異なっている以外は共通の構成となっているため、第１収納ポケット２０２（ａ）〜第５収納ポケット２０２（ｅ）は、個別に開閉可能な蓋体２１３をそれぞれ有している。これにより、第１収納ポケット２０２（ａ）〜第５収納ポケット２０２（ｅ）は、収納物を個別に管理できる。また、第１収納ポケット２０２（ａ）〜第５収納ポケット２０２（ｅ）のそれぞれに、蓋体２１３を閉鎖状態でロックおよびロック解除可能な蓋ロック部２３８が設けられている。また、第１収納ポケット２０２（ａ）〜第５収納ポケット２０２（ｅ）のそれぞれに、収納ボタン２４１、取出ボタン２４２、誘導ランプ２４３、完了ボタン２４４および収納状況検知センサ２２３が、設けられている。
【００５５】
個別管理収納庫１２（ａ），１２（ｂ）に収納される収納物は、金融機関で一般的に考えられる、業務の中で収納保管した方が良い物品であり、バラ紙幣、汚損紙幣、バラ硬貨、汚損硬貨、通帳、領収書、出納印、鍵、オペレータカード、印鑑簿、記念貨、Ａ４サイズ用紙、等である。なお、両替機への装填貨幣や釣銭機の準備金や、これら機器からの回収貨幣を、機器毎に収納ポケット２０２に保管することもできる。
【００５６】
第１収納ポケット２０２（ａ）〜第５収納ポケット２０２（ｅ）の中で最も小さい第１収納ポケット２０２（ａ）は、例えば、バラ硬貨、汚損硬貨、出納印、鍵等を収納可能となっている。第１収納ポケット２０２（ａ）〜第５収納ポケット２０２（ｅ）の中で２番目に小さい第２収納ポケット２０２（ｂ）および３番目に小さい第３収納ポケット２０２（ｃ）には、例えば、バラ紙幣、汚損紙幣、新券紙幣、小切手、通帳、領収書、オペレータカード等を収納可能となっている。第１収納ポケット２０２（ａ）〜第５収納ポケット２０２（ｅ）の中で２番目に大きい第４収納ポケット２０２（ｄ）には、例えば印鑑簿等を収納可能となっている。第１収納ポケット２０２（ａ）〜第５収納ポケット２０２（ｅ）の中で最も大きい第５収納ポケット２０２（ｅ）には、例えばＡ４サイズの書類を折らずに収納可能となっている。
【００５７】
次に、個別管理収納庫１２（ａ），１２（ｂ）に収納物を収納する収納処理と、個別管理収納庫１２（ａ），１２（ｂ）から収納物を取り出す取出処理とについて説明する。ここでは、個別管理収納庫１２（ｂ）に、図３および図４に示すように、四つの第１収納ポケット２０２（ａ）、二つの第２収納ポケット２０２（ｂ）および一つの第３収納ポケット２０２（ｃ）が設けられており、個別管理収納庫１２（ａ）に、図７に示すように、四つの第２収納ポケット２０２（ｂ）が設けられている場合を例にとり説明する。
【００５８】
「収納処理」
収納処理を行うにあたって使用者がオペレータカードを管理装置カードリーダ１７にスキャンさせると、管理装置カードリーダ１７がオペレータカードに記憶された使用者の使用者識別情報（オペレータＩＤ）を読み取る。このように使用者識別情報がオペレータカードから管理装置カードリーダ１７に入力されると、管理装置制御部２５は、この使用者識別情報を管理装置記憶部２６の記憶情報と照らし合わせて、この使用者識別情報の操作権限を割り出し、この操作権限で実行可能なメニュー画面を管理装置操作表示部１６に表示させる。なお、使用者識別情報の入力は、操作者の指紋あるいは静脈等の生体情報の入力により行う生体認証で行ってもよいし、これらを併用してもよい。
【００５９】
この操作メニューの中から、個別管理収納庫１２（ａ），１２（ｂ）へ収納物を収納する収納処理の選択操作が管理装置操作表示部１６あるいは管理装置キー操作部１８に入力されると、管理装置制御部２５は、個別管理収納庫１２（ａ）を閉鎖状態でロックしている収納庫ロック機構２２によるロックを解除すると共に、個別管理収納庫１２（ａ）に対応する誘導ランプ２３に、「引出し要求中」であることを示す点灯表示を行わせる。それと共に、管理装置制御部２５は、個別管理収納庫１２（ｂ）を閉鎖状態でロックしている収納庫ロック機構２２によるロックを解除すると共に、個別管理収納庫１２（ｂ）に対応する誘導ランプ２３に、「引出し要求中」であることを示す点灯表示を行わせる。このとき、未使用の収納ポケット２０２を有する個別管理収納庫に対応する誘導ランプ２３のみを点灯させるようにしてもよい。また、操作メニュー上で個別管理収納庫１２（ａ），１２（ｂ）のうちからいずれか一方を使用者に選択させ、選択された個別管理収納庫に対応する誘導ランプ２３を「引出し要求中」であることを示すように点灯表示させてもよい。さらに、管理装置制御部２５は、操作メニュー上で使用者に収納物の数量や種類等の収納物に関する情報を入力させて、入力された情報に応じた数や大きさの未使用の収納ポケット２０２を有する個別管理収納庫を選択するようにしてもよい。
【００６０】
使用者は、誘導ランプ２３の点灯表示にしたがって個別管理収納庫１２（ａ），１２（ｂ）のいずれか一方を収納物管理装置本体１１から引き出す。ここで、個別管理収納庫１２（ａ），１２（ｂ）は図示略の規制機構により、同時に収納物管理装置本体１１から引き出されることが規制されている。管理装置制御部２５は、個別管理収納庫１２（ａ），１２（ｂ）のいずれか一方が引き出されると、これに設けられた引出位置検出機構３５の検出結果から引き出されたことを検出することになるが、その場合に、個別管理収納庫１２（ａ），１２（ｂ）のそれぞれの誘導ランプ２３を点滅させたり、消灯させても良い。
【００６１】
例えば、使用者が、個別管理収納庫１２（ｂ）を収納物管理装置本体１１から引き出すと、管理装置制御部２５は、個別管理収納庫１２（ｂ）用の引出位置検出機構３５の検出結果から個別管理収納庫１２（ｂ）が収納物管理装置本体１１から引き出されたことを検出する。すると、管理装置制御部２５は、個別管理収納庫１２（ｂ）に設けられた四つの第１収納ポケット２０２（ａ）、二つの第２収納ポケット２０２（ｂ）および一つの第３収納ポケット２０２（ｃ）のそれぞれの収納物の収納状況つまり使用状況を、管理装置記憶部２６から読み出して、それぞれの誘導ランプ２４３により報知させる。つまり、管理装置制御部２５は、単色ＬＥＤからなる誘導ランプ２４３を、これが設けられた収納ポケット２０２が収納物を収納している使用中の場合に点灯させ、これが設けられた収納ポケット２０２が収納物を収納していない未使用の場合に消灯させる。
【００６２】
使用者は、四つの第１収納ポケット２０２（ａ）、二つの第２収納ポケット２０２（ｂ）および一つの第３収納ポケット２０２（ｃ）の中から、誘導ランプ２４３が消灯している収納ポケット２０２の一つを選択し、この今回選択された収納ポケット２０２の収納ボタン２４１を押下する。この収納ボタン２４１が押下されると、管理装置制御部２５は、今回選択された収納ポケット２０２に設けられた、ロック解除ノブ２３３の下降を規制して待機するノブ操作規制ソレノイド２３５を、待機状態から、ロック解除ノブ２３３の下降を許容する「解除側」に切り替えると共に、今回選択された収納ポケット２０２に設けられた誘導ランプ２４３を、蓋開要求ありを表示する低速での点滅に切り替える。なお、収納物を収納している使用中の収納ポケット２０２については、収納ボタン２４１が押下されてもノブ操作規制ソレノイド２３５を「解除側」に切り替えることはない。
【００６３】
次に、使用者は、誘導ランプ２４３が低速での点滅する今回選択された収納ポケット２０２のロック解除ノブ２３３の解除ボタン２３９を押下して下降させる。これにより、今回選択された収納ポケット２０２において、ロック部材２３１が、ロック解除ノブ２３３のカム面２３６でカムフォロア２３７が押圧されてロック部材押圧バネ２３２の付勢力に抗して支持軸２１２とは反対側に移動し、係合凹部２１６から引き抜かれる。この状態で、使用者は、今回選択された収納ポケット２０２において、取っ手２１５を摘んで蓋体２１３を上方に引き上げ、蓋体２１３を支持軸２１２を中心に回動させて開放状態とする。すると、これを蓋開閉検知センサ２２２が検知し、その結果、管理装置制御部２５がこの収納ポケット２０２の誘導ランプ２４３を中速で点滅させる。そして、使用者は、収納物を、誘導ランプ２４３が中速で点滅する今回選択された収納ポケット２０２の収納空間２１０に入れる。
【００６４】
収納物を入れ終わったら、使用者は、この収納ポケット２０２の蓋体２１３を回動させて閉じる。すると、この蓋体２１３が、面取り２１７でロック部材２３１を押圧して係合凹部２１６に係合させる。これにより、この蓋体２１３は閉鎖状態に維持される。このとき、この蓋体２１３が設けられた収納ポケット２０２のノブ操作規制ソレノイド２３５はロック解除ノブ２３３の下降を許容した状態となっているため、ロック解除ノブ２３３の解除ボタン２３９を押下すれば、再び蓋体２１３が開放可能となる。
【００６５】
今回選択された収納ポケット２０２の完了ボタン２４４が押下操作されると、管理装置制御部２５は、この収納ポケット２０２に設けられた蓋開閉検知センサ２２２が蓋体２１３が閉鎖状態にあることを検知していることと、この収納ポケット２０２に設けられた収納状況検知センサ２２３が収納物があることを検知していることとを条件に、完了ボタン２４４の押下操作を受け付けて、ノブ操作規制ソレノイド２３５のプランジャ２４０を突出させてロック解除ノブ２３３の下降を規制する「施錠側」の待機状態に切り替えると共に、この収納ポケット２０２に設けられた誘導ランプ２４３を点灯させて使用中である旨を表示させる。
【００６６】
なお、管理装置制御部２５は、今回選択された収納ポケット２０２の完了ボタン２４４が押下操作された時点で、この収納ポケット２０２の蓋体２１３が開放状態にあることを蓋開閉検知センサ２２２が検知していれば、完了ボタン２４４の押下操作を受け付けることなく、管理装置操作表示部１６に、この収納ポケット２０２の蓋体２１３が閉じられていない閉じ忘れがあることを報知させると共に、この収納ポケット２０２の誘導ランプ２４３を高速で点滅させる。また、管理装置制御部２５は、今回選択された収納ポケット２０２の完了ボタン２４４が押下操作された時点で、この収納ポケット２０２に設けられた収納状況検知センサ２２３が収納物がないこと検知している場合には、完了ボタン２４４の押下操作を受け付けることなく、管理装置操作表示部１６に、この収納ポケット２０２に収納物の入れ忘れがあることを報知させると共に、この収納ポケット２０２の誘導ランプ２４３を高速で点滅させる。
【００６７】
使用者は、場合により、誘導ランプ２４３が消灯している他の収納ポケット２０２を選択して、上記と同様に収納物を収納することができる。
【００６８】
使用者は、収納物の収納が終了すると、個別管理収納庫１２（ｂ）を収納物管理装置本体１１に全閉位置まで押し込む。すると、個別管理収納庫１２（ｂ）に対して設けられた収納庫ロック機構２２が個別管理収納庫１２（ｂ）を引き出し不可にロックする。管理装置制御部２５は、個別管理収納庫１２（ｂ）に対して設けられた引出位置検出機構３５により、個別管理収納庫１２（ｂ）が全閉位置に位置したことを検知すると、今回の収納処理を行う際にオペレータカードから管理装置カードリーダ１７に入力された使用者識別情報と、今回の収納処理で収納物が収納された収納ポケット２０２の収納ポケット識別情報と、この収納ポケット２０２が設けられた個別管理収納庫１２（ｂ）の収納庫識別情報とを対応付けて収納情報として管理装置記憶部２６に記憶して、収納処理を終了する。なお、収納ポケットが完了状態にない状態で、個別管理収納庫１２（ｂ）を収納物管理装置本体１１に全閉位置まで押し込んだ場合は、管理装置操作表示部１６や個別管理収納庫１２（ｂ）に対応する誘導ランプ２３によりアラームを発生させてその旨を報知し、再度引出し操作を行うなどの操作を選択させるようにしてもよい。
【００６９】
今回の収納処理で収納物が収納された収納ポケット２０２の収納ポケット識別情報については、その後は、使用中の収納ポケット２０２の収納ポケット識別情報として管理する。収納情報として、さらに、収納日時や収納物の種類や数量に関する情報などを含んでもよいし、履歴として記憶したり、印字するようにしてもよい。収納情報に収納物の種類や数量に関する情報を含める場合には、完了ボタン２４４の押下操作前に、管理装置操作表示部１６および管理装置キー操作部１８を介して収納物の種類や数量に関する情報が入力されたことを条件に、完了ボタン２４４の押下操作を受け付けることになる。
【００７０】
「取出処理」
取出処理を行うにあたって使用者が、収納処理と同様にオペレータカードを管理装置カードリーダ１７にスキャンさせて使用者の使用者識別情報をオペレータカードから管理装置カードリーダ１７に入力すると、管理装置制御部２５は、この使用者識別情報の操作権限を割り出し、この操作権限で実行可能なメニュー画面を管理装置操作表示部１６に表示させる。
【００７１】
この操作メニューの中から、個別管理収納庫１２（ａ），１２（ｂ）から収納物を取り出す取出処理の選択操作が管理装置操作表示部１６あるいは管理装置キー操作部１８に入力されると、管理装置制御部２５は、管理装置カードリーダ１７を介して入力された使用者識別情報に対応付けて記憶された使用中の収納ポケット識別情報および収納庫識別情報を管理装置記憶部２６から読み出し、個別管理収納庫１２（ａ），１２（ｂ）のうち、読み出した収納庫識別情報をもつもの（両方の場合もあり）の収納庫ロック機構２２によるロックを解除すると共にこれに対応する誘導ランプ２３に、「引出し要求中」であることを示す点灯表示を行わせる。なお、操作メニュー上で取り出す収納物の種類等が入力可能な場合は、管理装置制御部２５は、当該種類等が紐付けされた収納ポケット識別情報に対応付けられた収納庫識別情報をもつ個別管理収納庫のロックを解除するようにしてもよい。
【００７２】
使用者は、収納処理と同様、誘導ランプ２３の点灯表示にしたがって個別管理収納庫１２（ａ），１２（ｂ）のいずれか一方を収納物管理装置本体１１から引き出す。
【００７３】
例えば、使用者が、個別管理収納庫１２（ｂ）を収納物管理装置本体１１から引き出すと、管理装置制御部２５は、個別管理収納庫１２（ｂ）用の引出位置検出機構３５の検出結果から個別管理収納庫１２（ｂ）が収納物管理装置本体１１から引き出されたことを検出する。すると、管理装置制御部２５は、個別管理収納庫１２（ｂ）に設けられた四つの第１収納ポケット２０２（ａ）、二つの第２収納ポケット２０２（ｂ）および一つの第３収納ポケット２０２（ｃ）の中から、今回の取出処理を行う際に管理装置カードリーダ１７に入力された使用者識別情報に対応付けて管理装置記憶部２６に記憶された収納ポケット識別情報をもつ収納ポケット２０２の誘導ランプ２４３を点灯させる。ここで、今回の取出処理を行う際に入力された使用者識別情報に対応付けられた収納ポケット識別情報以外の収納ポケット識別情報をもつ収納ポケット２０２の誘導ランプ２４３は消灯させる。
【００７４】
使用者は、四つの第１収納ポケット２０２（ａ）、二つの第２収納ポケット２０２（ｂ）および一つの第３収納ポケット２０２（ｃ）の中から、誘導ランプ２４３が点灯している収納ポケット２０２の一つを選択し、この今回選択された収納ポケット２０２の取出ボタン２４２を押下する。この取出ボタン２４２が押下されると、管理装置制御部２５は、今回選択された収納ポケット２０２に設けられた、ロック解除ノブ２３３の下降を規制する「施錠側」にあるノブ操作規制ソレノイド２３５を、待機状態から、ロック解除ノブ２３３の下降を許容する「解除側」に切り替えると共に、今回選択された収納ポケット２０２に設けられた誘導ランプ２４３を、蓋開要求ありを表示する低速での点滅に切り替える。なお、今回の取出処理を行う際に入力された使用者識別情報に対応付けられた収納ポケット識別情報以外の収納ポケット識別情報をもつ収納ポケット２０２については、取出ボタン２４２が押下されてもノブ操作規制ソレノイド２３５を「解除側」に切り替えることはない。つまり、管理装置制御部２５は、管理装置カードリーダ１７にオペレータカードから使用者識別情報が入力されると、管理装置記憶部２６から当該使用者識別情報に対応付けて記憶された収納ポケット識別情報を読み出し、当該収納ポケット識別情報に対応する収納ポケット２０２の蓋ロック部２３８による蓋体２１３のロック状態を解除可能とする。
【００７５】
すると、使用者は、誘導ランプ２４３が低速での点滅する今回選択された収納ポケット２０２の蓋ロック部２３８のロック解除ノブ２３３の解除ボタン２３９を押下して下降させる。これにより、今回選択された収納ポケット２０２においてロック部材２３１が係合凹部２１６から引き抜かれる。この状態で、使用者は、今回選択された収納ポケット２０２において、取っ手２１５を摘んで蓋体２１３を上方に引き上げ、蓋体２１３を支持軸２１２を中心に回動させて開放状態とする。すると、これを蓋開閉検知センサ２２２が検知し、その結果、管理装置制御部２５がこの収納ポケット２０２の誘導ランプ２４３を中速で点滅させる。そして、使用者は、収納物を今回選択された収納ポケット２０２の収納空間２１０から取り出す。
【００７６】
収納物を取り出し終わったら、使用者は、この収納ポケット２０２の蓋体２１３を回動させて閉じる。すると、この蓋体２１３が、この収納ポケット２０２において、ロック部材２３１を係合凹部２１６に係合させる。これにより、この蓋体２１３は閉鎖状態に維持される。このときも、この蓋体２１３が設けられた収納ポケット２０２のノブ操作規制ソレノイド２３５はロック解除ノブ２３３の下降を許容した状態となっているため、ロック解除ノブ２３３の解除ボタン２３９を押下すれば、再び蓋体２１３が開可能となる。
【００７７】
今回選択された収納ポケット２０２の完了ボタン２４４が押下操作されると、管理装置制御部２５は、この収納ポケット２０２に設けられた蓋開閉検知センサ２２２で蓋体２１３が閉鎖状態にあることを検知していること、およびこの収納ポケット２０２に設けられた収納状況検知センサ２２３で収納物がないことを検知していることを条件に、完了ボタン２４４の押下操作を受け付けてノブ操作規制ソレノイド２３５をロック解除ノブ２３３の下降を規制する「施錠側」の待機状態に切り替えると共に、誘導ランプ２４３を消灯させて、未使用状態である旨を表示させる。
【００７８】
なお、管理装置制御部２５は、今回選択された収納ポケット２０２の完了ボタン２４４が押下操作された時点で、この収納ポケット２０２に設けられた蓋開閉検知センサ２２２で蓋体２１３が開放状態にあることを検知していれば、完了ボタン２４４の押下操作を受け付けることなく、管理装置操作表示部１６に、この収納ポケット２０２の蓋体２１３が閉じられていない閉じ忘れであることを報知させると共に、この収納ポケット２０２の誘導ランプ２４３を高速で点滅させる。また、管理装置制御部２５は、今回選択された収納ポケット２０２の完了ボタン２４４が押下操作された時点で、この収納ポケット２０２に設けられた収納状況検知センサ２２３が収納物があることを検知している場合には、完了ボタン２４４の押下操作を受け付けることなく、管理装置操作表示部１６に、この収納ポケット２０２に収納物の取り忘れがあることを報知させると共に、この収納ポケット２０２の誘導ランプ２４３を高速で点滅させる。
【００７９】
使用者は、場合により、誘導ランプ２４３が点灯している他の収納ポケット２０２を選択して、上記と同様に収納物を取り出すことができる。
【００８０】
使用者は、収納物の取り出しが終了すると、個別管理収納庫１２（ｂ）を収納物管理装置本体１１に全閉位置まで押し込む。すると、個別管理収納庫１２（ｂ）に対して設けられた収納庫ロック機構２２が個別管理収納庫１２（ｂ）を引き出し不可にロックする。管理装置制御部２５は、個別管理収納庫１２（ｂ）に対して設けられた引出位置検出機構３５により、個別管理収納庫１２（ｂ）が全閉位置に位置したことを検知すると、今回の取出処理を行う際に入力された使用者識別情報と、今回の取出処理で収納物が取り出された収納ポケット２０２の収納ポケット識別情報と、この収納ポケット２０２が設けられた個別管理収納庫１２（ｂ）の収納庫識別情報とを対応付けて取出情報として管理装置記憶部２６に記憶して取出処理を終了する。なお、収納ポケットが完了状態にない状態で、個別管理収納庫１２（ｂ）を収納物管理装置本体１１に全閉位置まで押し込んだ場合は、管理装置操作表示部１６や個別管理収納庫１２（ｂ）に対応する誘導ランプ２３によりアラームを発生させてその旨を報知し、再度引出し操作を行うなどの操作を選択させるようにしてもよい。
【００８１】
今回の取出処理で収納物が取り出された収納ポケット２０２の収納ポケット識別情報については、その後は、未使用の収納ポケット２０２として管理する。取出情報として、さらに、取り出し日時や取り去れた収納物の種類や数量に関する情報などを含んでもよいし、履歴として記憶したり、印字するようにしてもよい。
【００８２】
なお、取出処理を行う際に管理装置カードリーダ１７に入力された使用者識別情報のランクが担当者ランクの場合、上記のように、入力された使用者識別情報に対応付けられた収納ポケット識別情報を有する収納ポケット２０２のみから収納物が取り出し可能となるが、使用者識別情報のランクが、担当者ランクよりも上位の管理者ランクの場合には、すべての収納ポケット２０２から収納物を取り出し可能とすることも可能である。
【００８３】
上述したように、ロック解除ノブ２３３、収納ボタン２４１、取出ボタン２４２、誘導ランプ２４３および完了ボタン２４４は、これらが設けられた収納ポケット２０２の専用のものとなっている。よって、複数の収納ポケット２０２のそれぞれに、同じ収納ポケット２０２の収納処理および取出処理に関連して操作される専用のロック解除ノブ２３３、収納ボタン２４１、取出ボタン２４２および完了ボタン２４４が設けられており、同じ収納ポケット２０２の収納処理および取出処理に関連して表示を行う専用の誘導ランプ２４３が設けられている。
【００８４】
以上は、例えば、厳密に収納物を管理する場合であって、すでに収納物を収納中の収納ポケット２０２への追加収納や、収納ポケット２０２からの収納物の一部取り出しは行えない設定となっている。しかしながら、これらの追加収納および一部取り出しの少なくともいずれか一方が可能な設定とすることも可能である。追加収納および一部取り出しの少なくともいずれか一方は、入力された使用者識別情報に対応付けられた収納ポケット２０２に限って可能としたり、入力された使用者識別情報が管理者ランクである場合に限って可能としたりすることができる。
【００８５】
また、以上は、未使用の収納ポケット２０２の中から使用者が任意に選択して収納物を収納する場合を例にとり説明したが、収納物の種類によって、収納物を管理する収納庫１２および収納ポケット２０２を予め設定しておいても良い。例えば、個別管理収納庫１２（ｂ）において、四つの第１収納ポケット２０２（ａ）のうち最も前側の第１収納ポケット２０２（ａ）にバラ硬貨が、前から二番目の第１収納ポケット２０２（ａ）に汚損硬貨が、前から三番目の第１収納ポケット２０２（ａ）に鍵が、前から四番目の第１収納ポケット２０２（ａ）に出納印が、それぞれ収納されるように設定され、二つの第２収納ポケット２０２（ｂ）のうち前側の第２収納ポケット２０２（ｂ）にバラ紙幣が、前から二番目の第２収納ポケット２０２（ｂ）に汚損紙幣が、その後側の第３収納ポケット２０２（ｃ）に印鑑簿が、それぞれ収納されるように設定される。また、例えば、個別管理収納庫１２（ａ）において、最も前側の第２収納ポケット２０２（ｂ）に新券紙幣が、前から二番目の第２収納ポケット２０２（ｂ）に領収書が、前から三番目の第２収納ポケット２０２（ｂ）にオペレータカードが、最も後側の第２収納ポケット２０２（ｂ）に通帳が、それぞれ収納されるように設定される。
【００８６】
そして、収納処理および取出処理において、管理装置操作表示部１６の画面に収納物の種類を示す選択メニュー（バラ硬貨、汚損硬貨、鍵、出納印、バラ紙幣、汚損紙幣、印鑑簿、新券紙幣、領収書、通帳等）を表示し、この選択メニューから収納物の種類が選択されると、この選択された種類の収納物の収納用の収納ポケット２０２が設けられた収納庫１２の収納庫ロック機構２２によるロックを解除し、この収納庫１２を引き出すように、これと高さが合う誘導ランプ２３で報知する。この場合、別途の機構を設けて、これとは別に、あるいはこれと合わせて、この収納庫１２を自動的に少し前進させても良い。そして、この収納庫１２が引き出されると、選択された種類の収納物用の収納ポケット２０２を誘導ランプ２４３により報知して、その収納ボタン２４１あるいは取出ボタン２４２による押下操作を受け付け、その後は、上記と同様にして収納物の収納および取り出しを行わせる。
【００８７】
また、以上において、収納ボタン２４１と取出ボタン２４２を一つの処理開始ボタンで兼用してもよい。さらに、収納ボタン２４１、取出ボタン２４２、ロック解除ノブ２３３の解除ボタン２３９および完了ボタン２４４を、蓋ロック開閉ボタンとして一つにまとめてもよい。この場合、ロック解除ノブ２３３を介さずにソレノイドで直接蓋体２１３をロックおよびロック解除するようにする。
【００８８】
また、以上において、蓋体２１３を不透明の板材としても良い。
【００８９】
また、以上において、透明なアクリル板に調光シートを配置した蓋体２１３とし、電源のＯＮおよびＯＦＦで透明と不透明を切り替えるようにしてもよい。この場合、例えば、収納物の収納時には、未使用の収納ポケット２０２の蓋体２１３を透明にし、使用中の収納ポケット２０２の蓋体２１３を不透明とする。また、収納物の取り出し時に、使用者が取り出し権限を有する収納ポケット２０２の蓋体２１３を透明にし、使用者が取り出し権限を有さない使用中の収納ポケット２０２の蓋体２１３および未使用の収納ポケット２０２の蓋体２１３を不透明とする。このようにすることで、収納処理の際は、未使用の収納ポケット２０２を容易に確認でき、取出処理の際は、取り出し権限を有する者のみが収納状態を視認できるため、故意に取り出してしまうことの抑制となる。透明および不透明の設定は、必要に応じて任意に設定可能である。さらに収納ポケット２０２の内部に誘導ランプ２４３を設け、その色の変化や点灯状態の変化で収納ポケット２０２の各状態を報知することもできる。
【００９０】
さて、図１２に示すように、束紙幣収納庫１２（ｃ）は、結束された小束紙幣Ｔを入出庫可能に収納するもので、複数、具体的には前後に三つ配列された合成樹脂製の小束トレイ４０（貨幣収納部）を有している。小束紙幣Ｔは、単一金種の紙幣（貨幣）を所定枚数（１００枚）集積し、規定位置に結束テープｔを巻回して、この結束テープｔを接着することで形成されるものである。各小束トレイ４０には１０束の小束紙幣Ｔが収納可能であり、１０束の小束紙幣Ｔを結束した大束紙幣を収納することもできる。ここで、小束トレイ４０の横にはスペースＳがあるため、例えば、このスペースＳに複数の第１収納ポケット２０２（ａ）を前後に並べて設けることも可能である。
【００９１】
各小束トレイ４０は、上方に開口し下方に凹む形状をなすトレイ本体４１と、トレイ本体４１に、その後壁部４２と平行を維持しつつ前後移動可能に設けられた札押さえ板４３と、札押さえ板４３を後壁部４２に向けて付勢する図示略の付勢部材とを有している。各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部に載置され、後壁部４２と札押さえ板４３とに挟持されて収納されることになる。各小束トレイ４０に収納すべき設定金種を示す収納金種データは、予め設定されて管理装置記憶部２６に記憶されることになる。
【００９２】
図１３に示すように、棒金収納庫１２（ｄ）は、単一金種の硬貨（貨幣）が所定枚数（５０枚）集積されて包装紙で包装されてなる棒金Ｂを入出庫可能に収納するもので、複数、具体的には、前後に金種径に応じて四つまたは三つ、左右に３列の合成樹脂製の棒金トレイ５０（貨幣収納部）を有している。ここで、例えば、棒金トレイ５０の一列に代えて第１収納ポケット２０２（ａ）を前後に並べて設けることも可能である。
【００９３】
棒金トレイ５０は、棒金Ｂが中心軸線を上下にした立位状態で収納されるものである。棒金トレイ５０は、下方に凹む上方開口形状の棒金収納凹部５１を構成している。棒金トレイ５０の棒金収納凹部５１には、例えば、合計１０本の棒金Ｂが５本ずつセパレートで収納されるようになっている。棒金Ｂは、棒金収納凹部５１に、その上部開口を介して上方から挿入されることになる。棒金収納凹部５１に１０本の棒金Ｂが収納されると、１０本の棒金Ｂは棒金収納凹部５１および他の棒金Ｂで支持されて中心軸線を鉛直配置した立位状態に維持される。ここで、最前列の棒金トレイ５０は、端数用となっており、棒金Ｂの転倒防止用の複数の補助棒５２が立設されていて、収納本数が不足した状態でも棒金Ｂを倒さずに収納可能となっている。各棒金トレイ５０に収納すべき設定金種を示す収納金種データは、予め設定されて管理装置記憶部２６に記憶されることになる。
【００９４】
収納物管理装置本体１１の各束紙幣収納庫１２（ｃ）が挿入される部分の上部の前端部には、束紙幣収納庫１２（ｃ）の小束トレイ４０の上方近接位置に、束紙幣収納庫１２（ｃ）に収納された小束紙幣Ｔの左端位置を検出する図２に示す左端検出ラインセンサ６１、小束紙幣Ｔの左側に結束テープｔつまり帯がある場合にこれを検出する左側帯検出ラインセンサ６２、小束紙幣Ｔの右側に結束テープｔがある場合にこれを検出する右側帯検出ラインセンサ６３および小束紙幣Ｔの右端位置を検出する右端検出ラインセンサ６４が、それぞれ検出素子を左右方向に並べた状態で固定されている。
【００９５】
束紙幣収納庫１２（ｃ）が最も収納物管理装置本体１１から引き出されて図示略の前端位置ストッパに当接し停止する前端位置から最も収納物管理装置本体１１に押し込まれて図示略の後端位置ストッパに当接し停止する後端位置まで移動すると、左端検出ラインセンサ６１、左側帯検出ラインセンサ６２、右側帯検出ラインセンサ６３および右端検出ラインセンサ６４が、この束紙幣収納庫１２（ｃ）に収納された小束紙幣Ｔの上端部の反射光データを取得することになる。
【００９６】
管理装置制御部２５は、引出位置検出機構３５の検出結果と、左端検出ラインセンサ６１、左側帯検出ラインセンサ６２、右側帯検出ラインセンサ６３および右端検出ラインセンサ６４の検出結果とに基づいて束紙幣収納庫１２（ｃ）内の小束紙幣Ｔの数量および金種を取得する。すなわち、管理装置制御部２５は、左側帯検出ラインセンサ６２および右側帯検出ラインセンサ６３の検出結果から帯の数つまり束数を取得し、左端検出ラインセンサ６１および右端検出ラインセンサ６４の検出結果から長さつまり金種を取得する。このようにして、管理装置制御部２５は、各束紙幣収納庫１２（ｃ）内の小束紙幣Ｔの各金種別の束数、合計金額等の在高を管理する。
【００９７】
棒金トレイ５０の各棒金収納位置の底部には、棒金Ｂの有無および材質を検出する磁気センサからなる棒金検出センサ６８がそれぞれ設けられている。管理装置制御部２５は、各棒金検出センサ６８の検出結果から、棒金収納庫１２（ｄ）内の棒金Ｂの数量および金種を取得する。このようにして、管理装置制御部２５は、各棒金収納庫１２（ｄ）内の棒金Ｂの各金種別の本数、合計金額等の在高を管理する。
【００９８】
収納物管理装置１は、小型であって、図１４に示す重要物管理金庫１２０に収納可能となっている。重要物管理金庫１２０は、コンポーネント化された複数個の保管庫１２１〜１２５が選択的に組み合わせられて一体に構成されてなるものである。保管庫１２１〜１２５は、被管理物の保管を行うもので、管理種別毎に設けられている。保管庫１２１〜１２５は、複数の大きさのものがある。また、保管庫１２１〜１２５は、必要に応じて耐火構造に構成される。
【００９９】
重要物管理金庫１２０は、前面側に引き出される引き出し開閉式の横方向に長い複数の保管庫１２１と、前面側に引かれて揺動する片側扉の揺動開閉式の縦方向に長い複数の保管庫１２２と、前面側に引かれて揺動する両側扉の揺動開閉式の縦方向に短い複数の保管庫１２３と、前面側に引かれて揺動する両側扉の揺動開閉式の縦方向に長い複数の保管庫１２４と、前面側に引かれて揺動する両側扉の揺動開閉式の縦方向に中間の長さの保管庫１２５と、を有している。保管庫１２１〜１２５には、被管理物として、大束紙幣、小束紙幣、棒金、バラ紙幣、バラ硬貨、通帳、鍵、カード、金券等が適宜収納される。
【０１００】
例えば、引き出し開閉式であって横方向に長い複数の保管庫１２１には、そのうちの一つの保管庫１２１（ａ）に、被管理物としての大束紙幣、小束紙幣、棒金およびバラ紙幣が収納され保管される。また、他の一つの保管庫１２１（ｂ）に、被管理物としてのバラ硬貨が収納され保管される。また、他の一つの保管庫１２１（ｃ）に通帳が収納され保管される。
【０１０１】
また、両側扉の揺動開閉式の縦方向に長い複数の保管庫１２４のうち、最下段に設けられた一つの保管庫１２４（ａ）は、図１５に示すように、収納物管理装置１を収納し取り出し可能に保管する耐火構造の保管部となっている。保管庫１２４（ａ）が耐火構造であるため、収納物管理装置１自体を耐火構造に構成しなくても、火災等の災害に対して収納物管理装置１に収納された現金を安全に管理することができる。収納物管理装置１を収納する保管庫１２４（ａ）は、扉１２６が開かれることにより、収納物管理装置１が出し入れされ、扉１２６が閉じられることにより収納物管理装置１への使用者のアクセスを不可とする。例えば、収納物管理装置１は、収納庫１２の引き出し方向を扉１２６側に向けた姿勢で保管庫１２４（ａ）に収納されることになる。このため、扉１２６が開かれると、収納物管理装置１は、保管庫１２４（ａ）に収納された状態のままでも、管理装置操作表示部１６への操作入力と、すべての収納庫１２の前方への物理的な引き出しが可能となり、収納物の収納および取り出しが可能となる。また、設置店舗の朝の開店準備の際に、重要物管理金庫１２０の保管庫１２４（ａ）から収納物管理装置１を取り出して所望の位置に移動させて使用し、閉店の際に重要物管理金庫１２０内に収納することで、セキュリティを高めた運用が可能になる。保管庫１２４（ａ）には、収納物管理装置１が収納されると、この収納物管理装置１に給電しその内蔵バッテリに充電する図示略の給電部が設けられている。
【０１０２】
各保管庫１２１〜１２５には、それぞれを個別に閉鎖状態でロックする電磁式の図２に示す保管庫ロック機構１２７が設けられており、この保管庫ロック機構１２７は、ロック解除信号が入力されると図１４に示す保管庫１２１〜１２５の対応するものが開放可能となるようにロックを解除する一方、ロック信号が入力されると保管庫１２１〜１２５の対応するものを閉鎖状態で開作動不可にロックする。収納物管理装置１を保管する保管庫１２４（ａ）用の保管庫ロック機構１２７は、扉１２６を閉鎖状態でロックしたり、扉１２６を開放可能となるようにロックを解除したりする。閉鎖状態で保管庫ロック機構１２７にロックされた扉１２６は、保管庫１２４（ａ）内に保管された収納物管理装置１への使用者のアクセスを規制する。
【０１０３】
各保管庫１２１〜１２５には、それぞれの開閉状態を検出する図２に示す開閉検知センサ１２８と、それぞれの状態を点灯状態によって示すＬＥＤランプからなる状態表示部１２９とが設けられている。保管庫１２４（ａ）には、これが収納物管理装置１を収納しているか否かを検知する保管検知センサ１３０が設けられている。
【０１０４】
また、重要物管理金庫１２０は、図１４に示すように前面側に、使用者により操作入力が行われるタッチパネル式の管理金庫操作表示部１３５と、管理金庫カードリーダ１３６とが設けられている。管理金庫操作表示部１３５は、使用者により操作入力が行われると共に使用者に表示を行うものである。管理金庫カードリーダ１３６は使用者により通されたオペレータカードからその記憶データである使用者識別情報を読み取るものであり、言い換えれば、オペレータカードからその記憶データである使用者識別情報が入力されるものである。重要物管理金庫１２０における使用者認証も、オペレータカードから使用者識別情報を入力させる以外の種々の使用者認証を採用することができる。
【０１０５】
重要物管理金庫１２０は、内部に重要物管理金庫１２０の各部を制御する図２に示す管理金庫制御部１３７と、重要物管理金庫１２０の各保管庫１２１〜１２５内に保管される貨幣類の在高データ等を記憶する管理金庫記憶部１３９とを内蔵する一つの図１４に示す管理金庫制御ユニット１４０を有している。この管理金庫制御ユニット１４０は、管理金庫操作表示部１３５、管理金庫カードリーダ１３６、管理金庫制御部１３７および管理金庫記憶部１３９を一体に有してコンポーネント化されており、保管庫１２５の下側に配置されている。管理金庫制御部１３７は、管理金庫操作表示部１３５への入力に基づいて重要物管理金庫１２０内に保管される貨幣類の在高データ等を管理金庫記憶部１３９に記憶させる。
【０１０６】
重要物管理金庫１２０は、管理金庫制御ユニット１４０と、複数個の保管庫１２１〜１２５の適宜のものとが、前面を揃えた状態で、隣り合うもの同士が図示略の連結具で連結されることで、正面視矩形状に組み上げられることになる。その際に、重要物管理金庫１２０は、後面側に設けられた通信ケーブルで、各保管庫１２１〜１２５と管理金庫制御ユニット１４０とが通信可能に接続されている。重要物管理金庫１２０の後面側には、通信ケーブルを覆うカバーが取り付けられている。
【０１０７】
上記のようにして組み立てられた重要物管理金庫１２０が後面を壁に近接させて例えば執務室のフロア上に設置されることになり、これにより、重要物管理金庫１２０の管理金庫制御ユニット１４０の前面および複数個の保管庫１２１〜１２５の前面が執務室の室内側に向いて設置されることになる。
【０１０８】
以上の第１実施形態によれば、収納物管理装置本体１１に引き出し可能に設けられた個別管理収納庫１２（ａ），１２（ｂ）に、個別に開閉可能な蓋体２１３をそれぞれ有する複数の収納ポケット２０２が取り付けられているため、複数の収納ポケット２０２に収納物を複数の分類に分けて収納することができる。しかも、複数の収納ポケット２０２のそれぞれの蓋体２１３をそれぞれの蓋ロック部２３８でロックすることになる。よって、複数の収納ポケット２０２のそれぞれの蓋体２１３が不用意に開かれてしまうことを抑制することができる。したがって、収納物を複数の分類に分けて厳密に管理することが可能となる。
【０１０９】
また、複数の収納ポケット２０２のそれぞれに、同じ収納ポケット２０２の蓋ロック部２３８のロックを解除する専用のロック解除ノブ２３３が設けられているため、ロック解除操作の操作性が向上する。
【０１１０】
また、個別管理収納庫１２（ａ），１２（ｂ）の取付ベース２０１に、図６，図７に示すように、同じ大きさの複数の収納ポケット２０２を取り付けたり、図３〜図５，図８に示すように異なる大きさの複数の収納ポケット２０２を取り付けたりできるため、管理対象に合わせて、同様な大きさの収納物を複数の分類に分けて収納したり、異なる大きさの収納物を複数の分類に分けて収納したりすることができる。また、渉外担当者や窓口担当者などの担当者別に収納物を分けて収納したりすることができる。
【０１１１】
また、複数の収納ポケット２０２のそれぞれに設けられた誘導ランプ２４３の報知状態を見れば、操作が誘導されて容易となり、例えば、収納物が収納されている使用状態の収納ポケット２０２と、収納物が収納されていない空き状態の収納ポケット２０２とを容易に見分けること等ができる。複数の収納ポケット２０２のそれぞれに誘導ランプ２４３が設けられているため、誘導ランプ２４３で誘導されて行われる操作の操作性が向上する。
【０１１２】
また、複数の収納ポケット２０２のそれぞれに設けられた収納状況検知センサ２２３が、収納物の収納状況を検知するため、収納物が収納されている使用状態の収納ポケット２０２と、収納物が収納されていない空き状態の収納ポケット２０２とを検出することができる。したがって、収納処理時に収納ポケット２０２への収納物の入れ忘れを検知して報知することができ、取出処理時に収納ポケット２０２からの収納物の取り忘れを検知して報知することができる。
【０１１３】
また、蓋体２１３は、これが閉塞した収納ポケット２０２内の収納物が目視可能であるため、収納物が収納されている使用状態の収納ポケット２０２と、収納物が収納されていない空き状態の収納ポケット２０２とを容易に見分けることができる。
【０１１４】
また、束紙幣収納庫１２（ｃ）の小束トレイ４０に小束紙幣を収納することができ、棒金収納庫１２（ｄ）の棒金トレイ５０に棒金を収納することができるため、個別管理収納庫１２（ａ），１２（ｂ）に、バラ紙幣、バラ硬貨、汚損紙幣、汚損硬貨、新券および小切手のうちの複数種類のものを複数の分類に分けて収納するようにすれば、収納物管理装置１が、現金を詳細に分類して管理できる現金管理装置となる。なお、複数の収納庫１２の少なくとも一つに設けられた貨幣収納部に、小束紙幣及び棒金のうちの少なくともいずれか一方を収納するようにすれば、現金を詳細に分類して管理できる現金管理装置となる。
【０１１５】
また、収納ポケット２０２は、収納物管理装置本体１１に引き出し可能に設けられた個別管理収納庫１２（ａ），１２（ｂ）のそれぞれに、複数ずつ取り付けられることで、収納物を複数の分類に分けて収納することができる。また、蓋体２１３を蓋ロック部２３８でロックすることになるため、蓋体２１３が不用意に開かれてしまうことを抑制することができる。
【０１１６】
また、取出処理において、管理装置カードリーダ１７に使用者識別情報が入力されると、管理装置制御部２５が、当該使用者識別情報に対応付けて記憶された収納ポケット識別情報を管理装置記憶部２６から読み出し、当該収納ポケット識別情報に対応する収納ポケット２０２の蓋ロック部２３８による蓋体２１３のロック状態を解除可能とする。よって、使用者識別情報に応じて蓋体２１３を開放可能な収納ポケット２０２を設定できるため、セキュリティ性を高めることができる。
【０１１７】
また、収納物管理装置１を重要物管理金庫１２０に収納可能であるため、利便性とセキュリティ性が向上する。
【０１１８】
［第２実施形態］
本発明の第２実施形態に係る収納物管理装置を主に図１６〜図１８を参照して第１実施形態との相違部分を中心に以下に説明する。
【０１１９】
第２実施形態では、第１実施形態とは一部異なる収納ポケット２０２Ａ（収納物管理装置用収納ポケット）を有している。収納ポケット２０２Ａは、上方開口の矩形箱状のポケットベース３０１と、上方開口の矩形箱状で内側が収納空間２１０Ａとなるポケット本体２１１Ａと、ポケット本体２１１Ａの上部の後縁側に設けられた支持軸２１２Ａに回動可能に支持される矩形板状の蓋体２１３Ａとを有している。収納ポケット２０２Ａは、図３等に示す取付ベース２０１にポケットベース３０１がビス止め等で取り付けられる。ポケット本体２１１Ａおよび蓋体２１３Ａがポケット箱体３０２を構成しており、このポケット箱体３０２がポケットベース３０１に対して着脱可能になっている。
【０１２０】
ポケット箱体３０２の蓋体２１３Ａは、水平に配置されてこれが設けられた収納ポケット２０２Ａを閉じる閉鎖状態となり、支持軸２１２Ａを中心に上方に回動させられて収納ポケット２０２Ａを開く開放状態となる。蓋体２１３Ａも蓋体２１３と同様に収納ポケット２０２Ａの内部を目視可能な板材からなっており、取っ手２１５が設けられている。また、蓋体２１３Ａには、係合突起３０５が設けられている。または、蓋体２１３Ａを蛇腹状等の伸縮可能な部材で形成したり、蓋体２１３Ａを湾曲可能な部材で形成してスライドさせることによってポケット本体２１１Ａの後方へ挿入可能にしたりすることで、収納ポケット２０２Ａを開閉させるようにしてもよい。
【０１２１】
ポケット本体２１１Ａには、支持軸２１２Ａとは反対側に、閉鎖状態の蓋体２１３Ａが載置される載置段部２２１Ａが設けられており、また、前後にスライド操作されることで係合突起３０５に対し係合および係合解除可能な蓋解除レバー３０６が設けられている。蓋解除レバー３０６は、ポケット箱体３０２がポケットベース３０１に装着された状態では、ポケットベース３０１の図１７に示す凹部３０７に収納されて操作不可となっている。つまり、ポケット箱体３０２は、ポケットベース３０１に装着された状態では、その閉鎖状態の蓋体２１３Ａを開放操作することはできない。任意選択ではあるが、第１実施形態と同様の収納状況検知センサ２２３がポケット本体２１１Ａに設けられている。また、ポケット本体２１１Ａの支持軸２１２Ａとは反対側の端縁部に、第１実施形態と同様の係合凹部２１６と面取り２１７とが形成されている。
【０１２２】
ポケットベース３０１に、第１実施形態と同様のロック部材２３１とロック部材押圧バネ２３２とロック解除ノブ２３３とノブ押圧バネ２３４とノブ操作規制ソレノイド２３５とが設けられている。また、ポケットベース３０１に、ポケット箱体３０２の装着の有無を検知する箱体検知センサ２２２Ａが設けられている。
【０１２３】
蓋体２１３Ａが閉鎖状態にあるポケット箱体３０２が、ポケットベース３０１に対し取り外された状態から取り付けられると、ロック部材２３１が、ポケット本体２１１Ａの面取り２１７で係合凹部２１６に係合させられて、ポケット箱体３０２を装着状態に維持する。この状態で、ノブ操作規制ソレノイド２３５が「施錠側」にあってロック解除ノブ２３３の下降を規制していると、ポケット箱体３０２は取り外し不可にロックされる。このとき、閉鎖状態にある蓋体２１３Ａは開放不可にロックされる。
【０１２４】
また、ポケット箱体３０２がポケットベース３０１に装着された状態にあるとき、ノブ操作規制ソレノイド２３５がロック解除ノブ２３３の下降を許容する「解除側」にあると、ロック解除ノブ２３３の上部の解除ボタン２３９が押下されて下降することにより、ロック部材２３１は、ロック解除ノブ２３３のカム面２３６でカムフォロア２３７が押圧されてロック部材押圧バネ２３２の付勢力に抗して支持軸２１２Ａとは反対側に移動し、係合凹部２１６から引き抜かれる。この状態で、取っ手２１５を摘んでポケット箱体３０２を上方に引き上げると、ポケット箱体３０２がポケットベース３０１から取り出される。このようにポケットベース３０１から取り出されると、ポケット箱体３０２は蓋解除レバー３０６が開放操作可能となり、使用者が、蓋解除レバー３０６を開放操作し、取っ手２１５を摘んで蓋体２１３Ａを上方に引き上げると、蓋体２１３Ａが支持軸２１２Ａを中心に回動して、ポケット本体２１１Ａの収納空間２１０Ａを開放する開放状態つまり収納ポケット２０２Ａを開く開放状態となる。ここで、ノブ操作規制ソレノイド２３５がロック解除ノブ２３３の下降を規制している状態では、ロック解除ノブ２３３の押下が不可となり、ポケット箱体３０２がポケットベース３０１から取り外されること、および閉鎖状態にある蓋体２１３が開放状態となることを規制する。ノブ操作規制ソレノイド２３５は、ロック解除ノブ２３３の下降を規制している状態が待機状態となっている。
【０１２５】
ポケット本体２１１Ａの係合凹部２１６および面取り２１７と、ポケットベース３０１のロック部材２３１、ロック部材押圧バネ２３２、ロック解除ノブ２３３、ノブ押圧バネ２３４、ノブ操作規制ソレノイド２３５、係合突起３０５および蓋解除レバー３０６が、蓋体２１３を閉鎖状態でロックおよびロック解除可能な蓋ロック部２３８Ａを構成している。収納ポケット２０２Ａは、これに設けられた蓋体２１３Ａを閉鎖状態でロックおよびロック解除可能な専用の蓋ロック部２３８Ａを有している。蓋ロック部２３８Ａにおいて、ロック解除ノブ２３３が、蓋体２１３Ａのロックを解除する際に使用者により操作される部分であり、ノブ操作規制ソレノイド２３５が、この操作の規制および許容を電磁的に切り替えて蓋体２１３Ａの開閉を制御する。
【０１２６】
ポケットベース３０１の上面の前部には、蓋ロック部２３８Ａのロック解除ノブ２３３と、第１実施形態と同様の収納ボタン２４１、取出ボタン２４２、誘導ランプ２４３および完了ボタン２４４が設けられている。
【０１２７】
このような第２実施形態においては、収納物の収納および取り出しの際に、図１８に示すように、ポケットベース３０１からポケット箱体３０２が取り出され、この状態で、ポケット箱体３０２の蓋体２１３Ａが開かれる。
【０１２８】
つまり、収納処理において、第１実施形態と同様、誘導ランプ２４３が消灯している収納ポケット２０２Ａの一つが選択され、この今回選択された収納ポケット２０２Ａの収納ボタン２４１が押下されると、管理装置制御部２５は、今回選択された収納ポケット２０２Ａにおいて、ノブ操作規制ソレノイド２３５を、待機状態から、ロック解除ノブ２３３の下降を許容する「解除側」に切り替えると共に、誘導ランプ２４３を低速で点滅させる。すると、使用者は、今回選択された収納ポケット２０２Ａの解除ボタン２３９を押下してロック解除ノブ２３３を下降させる。これにより、今回選択された収納ポケット２０２Ａにおいて、ロック部材２３１が係合凹部２１６から引き抜かれる。この状態で、使用者は、今回選択された収納ポケット２０２Ａにおいて、取っ手２１５を摘んでポケット箱体３０２を上方に引き上げてポケットベース３０１から取り出し、その後、このポケット箱体３０２の蓋解除レバー３０６をスライドさせて蓋体２１３Ａを開放状態とする。そして、使用者は、収納物を今回選択された収納ポケット２０２Ａのポケット箱体３０２の収納空間２１０Ａに入れる。今回選択された収納ポケット２０２Ａにおいてポケット箱体３０２がポケットベース３０１から取り出されたことを箱体検知センサ２２２Ａが検知すると、管理装置制御部２５は、この収納ポケット２０２Ａの誘導ランプ２４３を中速で点滅させる。
【０１２９】
収納物を入れ終わったら、使用者は、このポケット箱体３０２の蓋体２１３Ａを回動させて閉じ蓋解除レバー３０６を係合突起３０５に係合させる。このポケット箱体３０２を今回選択された収納ポケット２０２Ａのポケットベース３０１に挿入すると、このポケット箱体３０２が、その面取り２１７でロック部材２３１を係合凹部２１６に係合させる。これにより、このポケット箱体３０２がポケットベース３０１に装填された状態に維持される。このとき、このポケット箱体３０２が設けられた収納ポケット２０２Ａのノブ操作規制ソレノイド２３５はロック解除ノブ２３３の下降を許容した状態となっているため、ロック解除ノブ２３３の解除ボタン２３９を押下すれば、再びポケット箱体３０２が取り出し可能になり蓋体２１３Ａが開放可能となる。
【０１３０】
その後、今回選択された収納ポケット２０２Ａの完了ボタン２４４が押下操作されると、管理装置制御部２５は、ポケット箱体３０２がポケットベース３０１に装着された状態にあることを、同じ収納ポケット２０２Ａに設けられた箱体検知センサ２２２Ａが検知していることと、この収納ポケット２０２Ａに設けられた収納状況検知センサ２２３が収納物があることを検知していることとを条件に、完了ボタン２４４の押下操作を受け付けて、この収納ポケット２０２Ａに設けられたノブ操作規制ソレノイド２３５をロック解除ノブ２３３の下降を規制する「施錠側」の待機状態に切り替えると共に、この収納ポケット２０２Ａに設けられた誘導ランプ２４３を点灯させて使用中である旨を表示させる。
【０１３１】
なお、管理装置制御部２５は、今回選択された収納ポケット２０２Ａの完了ボタン２４４が押下操作された時点で、ポケット箱体３０２がポケットベース３０１に対し装着された状態にないことを、同じ収納ポケット２０２Ａに設けられた箱体検知センサ２２２Ａが検知していれば、完了ボタン２４４の押下操作を受け付けることなく、管理装置操作表示部１６に、この収納ポケット２０２Ａにポケット箱体３０２が装着されていない装着忘れがあることを報知させると共に、この収納ポケット２０２Ａの誘導ランプ２４３を高速で点滅させる。また、管理装置制御部２５は、今回選択された収納ポケット２０２Ａの完了ボタン２４４が押下操作された時点で、この収納ポケット２０２Ａに設けられた収納状況検知センサ２２３が収納物がないこと検知している場合には、完了ボタン２４４の押下操作を受け付けることなく、管理装置操作表示部１６に、この収納ポケット２０２Ａに収納物の入れ忘れがあることを報知させると共に、この収納ポケット２０２Ａの誘導ランプ２４３を高速で点滅させる。
【０１３２】
取出処理において、第１実施形態と同様、誘導ランプ２４３が点灯している収納ポケット２０２Ａの一つが選択され、この今回選択された収納ポケット２０２Ａの取出ボタン２４２が押下されると、管理装置制御部２５は、今回選択された収納ポケット２０２Ａに設けられたノブ操作規制ソレノイド２３５を、待機状態から、ロック解除ノブ２３３の下降を許容する「解除側」に切り替える共に、誘導ランプ２４３を低速で点滅させる。すると、使用者は、今回選択された収納ポケット２０２Ａのロック解除ノブ２３３の解除ボタン２３９を押下して下降させる。これにより、今回選択された収納ポケット２０２Ａにおいて、ロック部材２３１が係合凹部２１６から引き抜かれる。この状態で、使用者は、今回選択された収納ポケット２０２Ａにおいて、取っ手２１５を摘んでポケット箱体３０２を上方に引き上げてポケットベース３０１から取り出し、その後、このポケット箱体３０２の蓋解除レバー３０６をスライドさせて蓋体２１３Ａを開放状態とする。そして、使用者は、収納物を今回選択された収納ポケット２０２Ａのポケット箱体３０２の収納空間２１０Ａから取り出す。今回選択された収納ポケット２０２Ａにおいてポケット箱体３０２がポケットベース３０１から取り出されたことを箱体検知センサ２２２Ａが検知すると、管理装置制御部２５は、この収納ポケット２０２Ａの誘導ランプ２４３を中速で点滅させる。
【０１３３】
収納物を取り出し終わったら、使用者は、このポケット箱体３０２の蓋体２１３Ａを回動させて閉じ、蓋解除レバー３０６を係合突起３０５に係合させ、このポケット箱体３０２を、今回選択された収納ポケット２０２Ａのポケットベース３０１に挿入する。これにより、今回選択された収納ポケット２０２Ａにおいて、ロック部材２３１を面取り２１７によって係合凹部２１６に係合させる。これにより、ポケット箱体３０２がポケットベース３０１に取り付けられる。このときも、このポケット箱体３０２が設けられた収納ポケット２０２Ａのノブ操作規制ソレノイド２３５はロック解除ノブ２３３の下降を許容した状態となっているため、ロック解除ノブ２３３の解除ボタン２３９を押下すれば、再びポケット箱体３０２が取り出し可能となり、蓋体２１３Ａが開可能となる。
【０１３４】
その後、今回選択された収納ポケット２０２Ａの完了ボタン２４４が押下操作されると、管理装置制御部２５は、ポケット箱体３０２がポケットベース３０１に装着状態にあることを同じ収納ポケット２０２Ａに設けられた箱体検知センサ２２２Ａが検知していることと、このポケット箱体３０２に設けられた収納状況検知センサ２２３が収納物がないことを検知していることとを条件に、完了ボタン２４４の押下操作を受け付けてノブ操作規制ソレノイド２３５を待機状態に切り替えると共に、誘導ランプ２４３を消灯させて、未使用状態である旨を表示させる。
【０１３５】
なお、管理装置制御部２５は、今回選択された収納ポケット２０２Ａの完了ボタン２４４が押下操作された時点で、ポケット箱体３０２が装着状態にあることを、同じ収納ポケット２０２Ａに設けられた箱体検知センサ２２２Ａが検知していなければ、完了ボタン２４４の押下操作を受け付けることなく、管理装置操作表示部１６に、この収納ポケット２０２Ａのポケット箱体３０２が装着されていない装着忘れであることを報知させると共に、この収納ポケット２０２の誘導ランプ２４３を高速で点滅させる。また、管理装置制御部２５は、今回選択された収納ポケット２０２Ａの完了ボタン２４４が押下操作された時点で、この収納ポケット２０２Ａに設けられた収納状況検知センサ２２３が収納物があることを検知している場合には、完了ボタン２４４の押下操作を受け付けることなく、管理装置操作表示部１６に、この収納ポケット２０２Ａに収納物の取り忘れがあることを報知させると共に、この収納ポケット２０２の誘導ランプ２４３を高速で点滅させる。
【０１３６】
以上の第２実施形態によれば、ポケットベース３０１からポケット箱体３０２を取り出し、このポケット箱体３０２から収納物を取り出すことができるため、例えばバラ貨幣等の収納物を取り出し易い。
【０１３７】
第２実施形態において、ポケットベース３０１からのポケット箱体３０２の取り外し後、再びポケット箱体３０２がセットされることなく一定時間以上経過したら、管理装置操作表示部１６にアラームを発生させて、その旨を報知するようにしてもよい。
【０１３８】
［第３実施形態］
本発明の第３実施形態に係る収納物管理装置を主に図１９を参照して第１実施形態との相違部分を中心に以下に説明する。
【０１３９】
第３実施形態では、取付ベース２０１の側壁２０３に所定の等間隔で挿入穴３１１が設けられている。また、収納ポケット２０２のポケット本体２１１に、側方にプランジャ３１２を突出させる着脱ソレノイド３１３と、他の収納ポケット２０２のプランジャ３１２を挿入させることが可能な挿入穴３１４とが設けられている。
【０１４０】
複数の収納ポケット２０２が、取付ベース２０１の内側に隙間なく収まる組み合わせで配置された際に、着脱ソレノイド３１３に、取付ベース２０１の側壁２０３の挿入穴３１１および他の収納ポケット２０２の挿入穴３１４のいずれか一方が必ず対向することになる。これにより、着脱ソレノイド３１３がプランジャ３１２を引き込んだ状態で、複数の収納ポケット２０２を適宜の組み合わせで、取付ベース２０１の内側に隙間なく収まるように配置し、その後、着脱ソレノイド３１３のプランジャ３１２を突出させることで、これらの収納ポケット２０２をすべて、直接あるいは他の収納ポケット２０２を介して取付ベース２０１に固定する。
【０１４１】
取付ベース２０１には、着脱ソレノイド３１３がプランジャ３１２を取付ベース２０１の側壁２０３の挿入穴３１１あるいは他の収納ポケット２０２の挿入穴３１４から引き抜くと、収納ポケット２０２を上方に押圧して取付ベース２０１から上方に浮き上がらせて取り外しを容易とする弾性部材３１５が設けられている。着脱ソレノイド３１３ではなく、モータの駆動等で収納ポケット２０２の取付ベース２０１に対するロックを解除するようにしてもよい。
【０１４２】
なお、収納ポケット２０２と取付ベース２０１とに物理的な嵌め合いの構造（例えば、ピンと穴の位置や数や形状の組み合わせ等）を設定することで、取付ベース２０１の所定の位置に所定の収納ポケット２０２のみを取り付け可能に固定化することもできる。この構造は、収納ポケットのサイズごとに設定してもよいし、収納ポケット固有に設定してもよい。
【０１４３】
このような第３実施形態によれば、収納ポケット２０２の組み合わせや配置等の変更が可能になる。この場合、収納ポケット２０２の着脱は、権限を有する者のみ実行できるように制限してもよい。また、収納ポケット２０２を取り外して、他の収納庫１２へ移動することも可能である。この場合、収納ポケット２０２が取り外された状態では、蓋体２１３は閉鎖状態でロックされているため、収納ポケットの着脱が行われても収納ポケットと収納物との対応関係を保持することができ、収納物を安全に管理できる。なお、必要に応じて収納ポケット２０２の蓋体２１３を図示略の鍵によって開閉可能としてもよい。勿論、この第３実施形態の収納ポケットの着脱機構を、第２実施形態の収納ポケット２０２Ａに適用することもできる。また、第１実施形態の収納ポケット２０２と第２実施形態の収納ポケット２０２Ａとを１つの収納庫１２へ混在させることもできる。
【０１４４】
ここで、収納ポケットの組み合わせや配置等を変更した場合、管理装置記憶部２６に記憶されている収納ポケット識別情報と収納庫識別情報との対応付けを更新する処理が必要になる。そこで、例えば、収納ポケット２０２自体に収納ポケット識別情報を含むＩＣタグやバーコード等を付し、管理装置制御部２５が取付ベース２０１等に設けられるＩＣタグリーダやバーコードリーダ等の読取手段により収納庫１２ごとにＩＣタグ等を読み取ることで、この更新処理を自動化できる。このＩＣタグに、収納ポケット識別情報に対応付けて、収納庫識別情報、使用者識別情報、および／または収納物に関する情報を書き込むようにしてもよい。あるいは、収納ポケット２０２にディップスイッチなどで収納ポケット識別情報に相当する個別のコードを設定できるようにし、装置内で重複しないようにすることで、管理装置制御部２５がこのコードを読み出して収納ポケット識別情報と収納庫識別情報との対応付けを更新するようにしてもよい。
【０１４５】
第１〜第３実施形態において、収納ポケット２０２のサイズだけでなく、収納庫１２も収納物に合わせて、高さ方向のサイズを変更可能なものとすることも可能である。例えば、Ａ４サイズの書類であれば、長さ方向を横方向にして立てた状態で収納保管することが可能になる。
【０１４６】
また、上記各実施形態にかかる収納ポケット２０２を、図１４に示す重要物管理金庫１２０のような大型の管理装置に適用することも可能である。例えば、引き出し開閉式の保管庫１２１（ａ）〜１２１（ｃ）に収納ポケット２０２を配置することで、収納物を個別により厳密に管理できるようになる。
【符号の説明】
【０１４７】
１  収納物管理装置
１１  収納物管理装置本体
１２  収納庫
４０  小束トレイ（貨幣収納部）
５０  棒金トレイ（貨幣収納部）
２０１  取付ベース
２０２，２０２Ａ  収納ポケット（収納物管理装置用収納ポケット）
２１０，２１０Ａ  ポケット本体
２１３，２１３Ａ  蓋体
２２３  収納状況検知センサ
２３３  ロック解除ノブ（ロック解除操作部）
２３８，２３８Ａ  蓋ロック部
２４３  誘導ランプ（収納状況報知ランプ）
【図１】
2017199132.tif 000003
【図２】
2017199132.tif 000004
【図３】
2017199132.tif 000005
【図４】
2017199132.tif 000006
【図５】
2017199132.tif 000007
【図６】
2017199132.tif 000008
【図７】
2017199132.tif 000009
【図８】
2017199132.tif 000010
【図９】
2017199132.tif 000011
【図１０】
2017199132.tif 000012
【図１１】
2017199132.tif 000013
【図１２】
2017199132.tif 000014
【図１３】
2017199132.tif 000015
【図１４】
2017199132.tif 000016
【図１５】
2017199132.tif 000017
【図１６】
2017199132.tif 000018
【図１７】
2017199132.tif 000019
【図１８】
2017199132.tif 000020
【図１９】
2017199132.tif 000021